(57)【特許請求の範囲】
【請求項１】
基台上に突設した一対の回動支持体の各先端寄り部位に、両枢支軸が対向して平行な枢支部を設け、
前記両枢支部に、前記枢支軸を介して中心部で枢支された優弧半円板状のローター部と、該ローター部の劣優側に設けた直径方向と平行な回動測定面と、該ローター部の優弧の円周に沿って設けた磁気目盛面とを備えた角度測定子を夫々枢着すると共に、前記両回動測定面は前記各回動支持体を避けた全周に亘って回動可能に形成し、
前記両回動支持体に、前記角度測定子の磁気目盛面に臨ませて、該磁気目盛面のデータを感知する磁気センサーを備えた角度検出部を設け、
前記両磁気センサーに接続させて、両磁気センサーで感知した各傾斜角度のデータからプログラムに従って演算処理する電子演算部とその演算結果をデジタル表示する液晶表示部とを備えた演算表示部を設けたことを特徴とする全角度測定器。
【請求項２】
基台上に突設した一対の回動支持体の各先端寄り部位に、内部に設けたベアリング軸受を介して対向して平行な枢支軸を備えた計測ケースを夫々固着し、
該両計測ケースの内部には角度計測用空間を備え、該角度計測用空間内に前記枢支軸の一方端部を突出させると共に該枢支軸の回動変化量を光の変化量で感知する光センサーを備えた角度検出部を設け、
前記両枢支軸の他方端部を前記ベアリング軸受から突出させて、その突出した部分に、該枢支軸に対する垂直な線と平行な回動測定面と、該回動測定面を支持するローター部とを備えた角度測定子を夫々固着すると共に、前記両回動測定面は前記各回動支持体を避けた全周に亘って回動可能に形成し、
前記両光センサーに接続させて、該両光センサーで感知した各傾斜角度のデータからプログラムに従って演算処理する電子演算部とその演算結果をデジタル表示する液晶表示部とを備えた演算表示部を設けたことを特徴とする全角度測定器。
【請求項３】
両角度検出部が、枢支軸の角度計測空間への突出した部分には、回転偏光板を固設し、
計測ケース内に前記回転偏光板に対して平行に固定偏光板を固設すると共に前記回転偏光板と固定偏光板に向けて光を照射する発光体を設け、
該発光体の照射で前記回転偏光板と固定偏光板とを通過する光の量を感知する光センサーを備えたことを特徴とする請求項２に記載の全角度測定器。
【請求項４】
両角度測定子のローター部の両方の板面を互いに同一平面となるよう配したことを特徴とする請求項１から３のうちいずれかに記載の全角度測定器。
【請求項５】
両角度測定子のローター部の両方の板面を互いに別の平面となるよう配すると共に各板面の一部が相互に重なるように近接させたことを特徴とする請求項１から４のうちいずれかに記載の全角度測定器。
【請求項６】
両角度測定子のローター部の板面には、回動測定面の両端部寄り部位に夫々ピン突当り部を備えたピン逃がし面を形成し、両回動支持体の両角度測定子の前記ピン逃がし面に臨む部位には、前記角度測定子の１８０度の回動位置で両側の前記ピン突当り部に当たって停止する測定基準位置決めピンを設けたことを特徴とする請求項１から５のうちいずれかに記載の全角度測定器。
【請求項７】
基台を長板状又は棒状とし、該基台の長手方向に両回動支持体を直立状態で往復移動可能に形成したことを特徴とする請求項１から６のうちいずれかに記載の全角度測定器。
【請求項８】
回動支持体に、基台から突出する方向に伸縮可能とすると共に伸縮させた任意の高さ位置で固定可能とした高さ調節部を設けたことを特徴とする請求項１から７のうちいずれかに記載の全角度測定器。
【請求項９】
基台に演算表示部を固着したことを特徴とする請求項１から８のうちいずれかに記載の全角度測定器。
【発明の詳細な説明】
【技術分野】
【０００１】
本発明は、物品の内角部分及び外角部分の角度を測定する角度測定器に関する。
【背景技術】
【０００２】
本発明者は先に下記特許文献１のノギス型デジタル角度・距離計を提案し、この装置によって工業用部品等の物品の外角部分の傾斜角度の測定をし、その角度をデジタル数字で表示できるものとした。
【０００３】
しかしながら、この装置では、測定すべき物品を本尺のジョウとバーニヤのジョウとの間に配して、その物品を挟んで向かい合った回動測定面で測定するため本尺のジョウとバーニヤのジョウとの間に入る大きさの物品の外角部分については測定することはできるが、物品の内角部分については、回動測定面の間に挟むことができないために測定することが不可能であった。
又、その測定可能な外角の角度も本尺面に対して、一方の外角面と他方の外角面の角度を別々に測定してから両外角面間の角度が算出されるため、誤差も合算されて誤差の値も大きくなってしまうため測定精度を大きく高めることが困難であった。
【先行技術文献】
【特許文献】
【０００４】
【特許文献１】特願２００１−２２１６２７号公報
【発明の概要】
【発明が解決しようとする課題】
【０００５】
そこで、本発明は測定すべき物品の外角部分だけではなく内角部分についても、その部分の角度を高い精度で測定でき、その測定した角度をデジタル数値で表示可能とした全角度測定器を提供することを目的とする。
【課題を解決するための手段】
【０００６】
上記目的を達成するため、本発明の全角度測定器の請求項１に記載の発明にあっては、基台上に突設した一対の回動支持体の各先端寄り部位に、両枢支軸が対向して平行な枢支部を設け、前記両枢支部に、前記枢支軸を介して中心部で枢支された優弧半円板状のローター部と、該ローター部の劣優側に設けた直径方向と平行な回動測定面と、該ローター部の優弧の円周に沿って設けた磁気目盛面とを備えた角度測定子を夫々枢着すると共に、前記両回動測定面は前記各回動支持体を避けた全周に亘って回動可能に形成し、前記両回動支持体に、前記角度測定子の磁気目盛面に臨ませて、該磁気目盛面のデータを感知する磁気センサーを備えた角度検出部を設け、前記両磁気センサーに接続させて、両磁気センサーで感知した各傾斜角度のデータからプログラムに従って演算処理する電子演算部とその演算結果をデジタル表示する液晶表示部とを備えた演算表示部を設けたことを特徴とする。
【０００７】
請求項２に記載の発明にあっては、基台上に突設した一対の回動支持体の各先端寄り部位に、内部に設けたベアリング軸受を介して対向して平行な枢支軸を備えた計測ケースを夫々固着し、該両計測ケースの内部には角度計測用空間を備え、該角度計測用空間内に前記枢支軸の一方端部を突出させると共に該枢支軸の回動変化量を光の変化量で感知する光センサーを備えた角度検出部を設け、前記両枢支軸の他方端部を前記ベアリング軸受から突出させて、その突出した部分に、該枢支軸に対する垂直な線と平行な回動測定面と、該回動測定面を支持するローター部とを備えた角度測定子を夫々固着すると共に、前記両回動測定面は前記各回動支持体を避けた全周に亘って回動可能に形成し、前記両光センサーに接続させて、該両光センサーで感知した各傾斜角度のデータからプログラムに従って演算処理する電子演算部とその演算結果をデジタル表示する液晶表示部とを備えた演算表示部を設けたことを特徴とする。
【０００８】
請求項３に記載の発明にあっては、上記請求項２に記載の全角度測定器において、前記両角度検出部が、前記枢支軸の角度計測空間への突出した部分には、回転偏光板を固設し、計測ケース内に前記回転偏光板に対して平行に固定偏光板を固設すると共に前記回転偏光板と固定偏光板に向けて光を照射する発光体を設け、該発光体の照射で前記回転偏光板と固定偏光板とを通過する光の量を感知する光センサーを備えたことを特徴とする。
【０００９】
請求項４に記載の発明にあっては、上記各発明において、前記両角度測定子のローター部の両方の板面を互いに同一平面となるよう配したことを特徴とする。
【００１０】
請求項５に記載の発明にあっては、上記各発明において、前記両角度測定子のローター部の両方の板面を互いに別の平面となるよう配すると共に各板面の一部が相互に重なるように近接させたことを特徴とする。
【００１１】
請求項６に記載の発明にあっては、上記各発明において、前記両角度測定子のローター部の板面には、回動測定面の両端部寄り部位に夫々ピン突当り部を備えたピン逃がし面を形成し、両回動支持体の両角度測定子の前記ピン逃がし面に臨む部位には、前記角度測定子の１８０度の回動位置で両側の前記ピン突当り部に当たって停止する測定基準位置決めピンを設けたことを特徴とする。
【００１２】
請求項７に記載の発明にあっては、上記各発明において、前記基台を長板状又は棒状とし、該基台の長手方向に両回動支持体を直立状態で往復移動可能に形成したことを特徴とする。
【００１３】
請求項８に記載の発明にあっては、上記各発明において、回動支持体に、前記基台から突出する方向に伸縮可能とすると共に伸縮させた任意の高さ位置で固定可能とした高さ調節部を設けたことを特徴とする。
【００１４】
請求項９に記載の発明にあっては、上記各発明において、前記基台に演算表示部を固着したことを特徴とする。
【発明の効果】
【００１５】
請求項１の発明においては、角度測定子の回動測定面が回動支持体の先端部及び両側面部よりも外側の該回動支持体を避けた全周に亘って自由に回動し、外角部分を測定する場合には、測定対象物の測定部分を両回動測定面の内部に挟んで、両回動測定面を外角の両測定面に同時に押し当てることで、両測定対象物の両側の外角面に両側の回動測定面が密接され、又、内角部分を測定する場合には、測定部分の両内角面の間に両側の角度測定子を差し込んで、両回動測定面を測定対象物の両内角の両測定面に同時に押し当てることで、測定対象物の両内角面に両側の回動測定面が密接される。
そして、同時に両回動測定面の角度を円弧に添った磁気目盛面から磁気センサーで感知し、その感知したデータは電子演算部で演算処理されその演算結果が液晶表示部でデジタル数値として表示することが可能となる。
その測定精度は、内角及び外角のいずれでも前記円弧が大きければ大きいほど目盛り幅を大きくすることが可能となり、より正確な精度でその角度を測定すること可能となる。
特に、本発明では、前記ノギス型デジタル角度・距離計の如く、測定対象物の一方の面を必ず本尺のスライド面に当接させて該スライド面を基準に回動測定面の角度を読み、更に両方に数値を合算して外角の角度を２段階で算出するのではなく、測定対象物の測定面に対して押し当てられる回動測定面の角度が各磁気目盛面から検出した２つの値から直接角度が算出されるため、誤差が少なく、より正確な精度の内角と外角の角度の測定結果が得られる。
【００１６】
請求項２の発明においては、上記請求項１の発明と同様に、角度測定子の回動測定面が回動支持体の先端部及び両側面部よりも外側の該回動支持体を避けた全周に亘って自由に回動し、外角部分を測定する場合には、測定対象物の測定部分を両回動測定面の内部に挟んで、両回動測定面を外角の両測定面に同時に押し当てることで、両測定対象物の両側の外角面に両側の回動測定面が密接され、又、内角部分を測定する場合には、測定部分の両内角面の間に両側の角度測定子を差し込んで、両回動測定面を測定対象物の両内角の両測定面に同時に押し当てることで、測定対象物の両内角面に両側の回動測定面が密接される。
そして、両測定対象物の両測定面に同時に両側の角度測定子の回動測定面が密接されると、角度測定子の固着した枢支軸の回動角度変化で変化する光を両側の光センサーで光学的に感知し、その感知した両側の光センサーのデータは電子演算部で演算処理されその演算結果が液晶表示部で、測定対象物の内角又は外角を正確なデジタルの数値として表示することが可能となる。
【００１７】
請求項３の発明においては、重ねられた回転偏光板と回転偏光板とが相対的に回動することによって回転偏光板及び回転偏光板に対して照射された光の透過量が変化し、その回転偏光板及び回転偏光板とを透過した光を光センサーで受光してその光の量を数値化し、測定対象物の内角及び外角をより正確に測定し、液晶表示部にデジタル数値で表示することが可能となる。
【００１８】
請求項４の発明においては、前記両角度測定子のローター部を、該両角度測定子の板面を同一平面に配することで対向した両角度測定子の回動測定面が測定対象物の内角及び外角の測定面に確実に密接し、測定対象物の平面的な薄い部分の内角及び外角を正確に測定することが可能となる。
【００１９】
請求項５の発明においては、前記両角度測定子のローター部の板面の一部が接近して相互に重なって、その部分において回動測定面を交差させ、その回動測定面の交差部分の間に測定対象物を挟むようにして両外角面を同時に押し当て密接せることとで極めて小さな測定対象物でもその外角の測定が可能となる。
また内角では、板面の一部を相互に重なるようにして小さな測定対象物の内角の測定が可能となり、この場合、両回動測定面の端部同士が接触状態となると、その端部を頂点として測定対象物の両内角面を最小範囲まで同時に密接させることができるので、極めて小さな測定対象物の内角の測定が可能となる。
なお、両回動測定面の端部同士が離れた状態であっても、その離れた端部間の距離よりも小さい測定対象物ではその両内角面に両回動測定面を同時に密接させることができないので、その場合には内角の測定できなくなるが、回動測定面が測定対象物の両内角面に同時に密接可能な限り、どのような大きさの測定対象物でもその内角の測定が可能となる。
【００２０】
請求項６の発明においては、前記角度測定子をどちらかに回動させると、前記回動支持体に設けた測定基準位置決めピンがローター部に設けたピン逃がし面を通過しピン突当り部に当たって停止する。
その際、前記角度測定子のローター部が前記回動支持体の先端より外側に１８０度範囲に回動して前記回動測定面の向かい合わせ側と背中合わせ側とがどちらかに回動させても平行となって停止し、このことにより内角及び外角の全角度が確実に測定可能となり、且つ測定基準位置決めピンがピン突当り部より先には回動しないので、その限られた目盛りの範囲の読み取りによって効率良く測定が行える。
そして、回動が停止して両回動測定面が平行となったときが測定の基準位置となって、新たに基準位置を定めずにそのままで効率良く測定することが可能となる。
【００２１】
請求項７の発明においては、両回動支持体間の間隔を拡縮させることで、コーナー部分が変形している測定対象物であってもそのコーナー部分を避けて角度を正確に測定することが可能となる。
【００２２】
請求項８の発明においては、前記回動支持体の先端部を高い位置まで調節することで、内角の測定では前記回動支持体の先端部に設けた角度測定子の回動測定面が内角の深い位置まで届くようになり、又、外角の測定では前記回動支持体の先端部に設けた角度測定子の回動測定面の間に外角部分の先端部が深い位置まで差し込めるようになる。
この結果、測定対象物の測定部分が深い位置にあっても測定が可能となる。
【００２３】
請求項９の発明においては、前記演算表示部と基台とが一体となるので保管や持ち運びが容易となる。
そして、全角度測定器全体を片手で持って移動しつつ、そのまま前記角度測定子を測定対象物に押し当ることで、片手だけででも角度を測定することが可能となる。
【図面の簡単な説明】
【００２４】
【図１】本発明の斜視図である。
【図２】演算表示部を外した状態を示す平面図である。
【図３】回動支持体の磁気センサー取付け部から磁気センサーを外した状態を示す斜視図である。
【図４】角度測定子を背中合わせから向かい合わせに１８０度回動させた状態を示す正面図である。
【図５】内角を測定している状態を示す正面図である。
【図６】外角を測定している状態を示す正面図である。
【図７】別の態様の回動支持体の一部を切欠いて、ピン突当り部に測定基準位置決めピンが突き当たった状態を示す斜視図である。
【図８】別の態様の一方の角度測定子を示す（イ）が側面図、（ロ）が正面図である。
【図９】別の態様の他方の角度測定子を示す（イ）が側面図、（ロ）が正面図である。
【図１０】図８及び図９の角度測定子を用いた形態の平面図である。
【図１１】図８及び図９の角度測定子を用いた形態の正面図である。
【図１２】基台に回動支持体をスライド可能とした形態を示す正面図である。
【図１３】回動支持体に高さ調節部を設けた形態を示す正面図である。
【図１４】演算表示部を基台に固着した形態を示す斜視図である。
【図１５】演算表示部を基台に固着した別の形態の（イ）が回動測定面間を開いた状態を示し、（ロ）が回動測定面同士を密接させた状態を示す各斜視図である。
【図１６】別の形態を示す斜視図である。
【図１７】別の形態の演算表示部を外した状態を示す斜視図である。
【図１８】（イ）が図１７のＸ−Ｘ線縦断側面図、（ロ）が（イ）の円内部分を拡大して示す縦断側面図である。
【発明を実施するための形態】
【００２５】
本発明の全角度測定器の実施形態を、以下図を参照して説明する。
本発明は、図１に示す磁気センサーを用いた形態と、図１６に示す光センサーを用いた形態とがあり、先に磁気センサーを用いた形態を説明し、後で光センサーを用いた形態を説明する。
【００２６】
本発明の磁気センサーを用いた形態は、図１に示すように、基台１に一対の回動支持体２、３を平行に直立させ、前記回動支持体２、３の先端部を二股の支持部２ａ、２ａ、３ａ、３ａに形成し、図２に示すように、その支持部２ａ、３ａの先端寄りに枢支軸４ａ、５ａ同士が平行且つ対向方向と直交させた枢支部４、５を設ける。
尚、該図１では、前記基台１は長板状の基台１ａを用いた態様を示しているが、該基台１は一対の対向した回動支持体２、３を平行状態に固定できれば良いので、棒状や筒状等であっても良い。
【００２７】
そして、図４に示すように、前記回動支持体２、３の二股の支持部２ａ、３ａの二股間に、
前記枢支軸４ａ、５ａを介して中心部で枢支された優弧半円板状のローター部６ａ、７ａと、該ローター部６ａ、７ａの劣優側に設けた直径方向と平行な回動測定面８、９と、該ローター部６ａ、７ａの優弧の円周に沿って設けた磁気目盛面１０、１１とを備えた角度測定子６、７を挟み、前記枢支部４、５に夫々枢着する。
その際、前記回動測定面８、９が回動支持体２、３の先端部及び両側面部よりも外側を、向かい合わせ平行状態（図４中に実線で示す）から背中合わせ平行状態（図４中に一点鎖線で示す）にまで前記回動支持体２、３を除く全周に亘って自由に回動できるように前記枢支軸４ａ、５ａを介して角度測定子６、７をローター部６ａ、７ａの円形中心部で枢着する。
【００２８】
前記回動測定面８、９はローター部６ａ、７ａの劣優側の各端部８ａ、９ａ、８ｂ、９ｂまでを正確に直線状とする。例えば、図１に示すように、前記回動測定面８、９面に直線精度の高い丸い鋼線を用いて前記回動測定面８、９に形成した溝内に外鋼線の外円周面を露出させて埋め込んだ態様が可能である。この態様では、測定対象物の内角面及び外角面に対して鋼線の円周が直線状に当接可能となる。この態様では前記回動測定面８、９が測定対象物の内角面及び外角面の広範に接触しないため汚れによる表面のゴミや凹凸の影響が少なくより正確に測定することができる。
尚、図１では支持部２ａ、３ａを二股としているが、本発明では支持部２ａ、３ａで両角度測定子６、７が向かい合うように支持できれば良いので二股に限定するものではない。
【００２９】
そして、前記角度測定子６、７外周の磁気目盛面１０、１１には帯の長さ方向に角度の大きさの目盛りを磁気で記憶させた磁気目盛帯１０ａ、１１ａを張設する。
そのため角度測定子６、７の外周面に形成される磁気目盛面１０、１１の幅を、例えば３ｍｍ程度とすれば、該磁気目盛面１０、１１に約２ｍｍ幅の磁気目盛帯１０ａ、１１ａを張設することができる。
【００３０】
又、前記両回動支持体２、３に、前記角度測定子６、７の回動変化の量を磁気目盛帯１０ａ、１１ａからその磁気を感知する磁気センサー１２ａ、１３ａを前記磁気目盛面１０、１１の磁気目盛帯１０ａ、１１ａに接するように臨ませて設ける。
該磁気センサー１２ａ、１３ａと前記磁気目盛面１０、１１とで角度の変化に対応した数値に変化が得られる角度検出部１２、１３を形成し、この角度検出部１２、１３で前記角度測定子６、７の回動変化で前記磁気目盛面１０、１１が回動したとき前記磁気目盛面１０、１１に記憶させた数値を磁気センサー１２ａ、１３ａで前記回動測定面８、９の角度として読み取る。
【００３１】
前記両回動支持体２、３への前記磁気センサー１２ａ、１３ａの装着は、図３に示すように、前記両角度測定子６、７のローター部６ａ、７ａの外周面に臨む前記両回動支持体２、３の二股の分岐部に磁気センサー取付け部２ｂ、３ｂの空間を刳り抜いて設ければ、前記磁気センサー１２ａ、１３ａを前記角度測定子６、７の磁気目盛面１０、１１に接するようにセンシング部分を臨ませてネジで位置決めして固定することができる。
【００３２】
図１では、該角度測定子６、７のローター部６ａ、７ａは円盤状を成し、外周面に磁気目盛帯１０ａ、１１ａを設けた態様を示したが、磁気目盛帯１０ａ、１１ａは角度測定子６、７の円弧に添ったローター部６ａ、７ａの板面に設けることも可能であり、その場合、前記磁気センサー１２ａ、１３ａの位置は、二股中央ではなく、一方の二股部分に前記磁気目盛帯１０ａ、１１ａにセンシング部分を臨ませて接するように磁気センサー１２ａ、１３ａを設ける。
【００３３】
前記角度測定子６、７のローター部６ａ、７ａの円弧の大きさは、精度の高さと関係し、円弧がければ大きいほど目盛り幅を大きくすることが可能となり、より正確な精度でその角度を測定すること可能となる。
又、ローター部６ａ、７ａに円弧が小さいと前記回動測定面８、９が短くなり、測定対象物の内角面及び外角面に対して当接部分が少なくなり、このため測定精度は低下し、且つ円弧が小さいと目盛り幅が小さくなって精度が低下する場合がある。
【００３４】
又、図１では、前記回動支持体２、３は、先端部２ａ、３ａが二股に分かれた棒状のものを示しているが、前記回動支持体２、３は前記磁気センサー１２ａ、１３ａを基台１から突出させた位置で支持するものなで、棒状に限定するものではなく、板状や筒状のものでも良い。
【００３５】
そして、図１に示すように、前記両磁気センサー１２ａ、１３ａに夫々電線２２を介して演算表示部２３を接続する。
該演算表示部２３には、前記磁気センサー１２ａ、１３ａで感知された両回動測定面８、９の傾斜角度のデータからプログラムに従って、両傾斜角度の挟まれた内角又は外角を演算処理する電子演算部２４とその演算結果をデジタル表示する液晶表示部２５とを備える。
なお、図１では、前記各角度検出部１２、１３と演算表示部２３とを電線２２で接続した態様を示しているが、前記磁気センサー取付け部２ｂ、３ｂに磁気センサー起動用の電池を装着し、前記各磁気センサー１２ａ、１３ａで感知した目盛りのデータを演算処理する電子演算部２４に無線送信手段を備えることで、電線２２を使用しない装置とすることも可能である。
【００３６】
そして角度を測定する際は、図５及び図６に示すように、測定対象物Ａの内角面Ａ１、Ａ２、又は測定対象物Ｂの外角面Ｂ１、Ｂ２に両側の回動測定面８、９を同時に押し当てて行う。
その際、前記両角度測定子６、７の回動測定面８、９は前記両回動支持体２、３の先端よりも外側を自由に回動するので、測定対象物に対して両側の回動測定面８、９を同時に押し当てると内角面に対しても又、外角面に対しても、測定対象物の内角ｘ及び外角ｙの全角度の正確な測定が可能となる。
【００３７】
又、前記両角度測定子６、７は、図２に示すように、ローター部６ａ、７ａの円形中心部で両側の平行且つ対向方向に直交した枢支軸４ａ、５ａに枢支されることで両側の角度測定子６、７は同一平面上に配されるが、該角度測定子６、７のローター部６ａ、７ａの形状は、図２の如く、板面を同一平面上に配する形態と、図１０に示すように、板面を別の平面上に配すると共に板面の一部が相互に重なるように当接又は近接させた形態とが可能である。
【００３８】
前記両角度測定子６、７のローター部６ａ、７ａの板面を同一平面上に配した形態では、前記両回動支持体２、３の間隔は、少なくとも回動支持体２、３同士が接触しない間隔とし、図５に示すように、測定対象物Ａの内角ｘを挟む両内角面Ａ１、Ａ２に前記回動測定面８、９が隙間なく当接でき、又、図６に示すように、測定対象物Ｂの外角ｙを挟む両内角面Ｂ１、Ｂ２に前記回動測定面８、９が隙間なく当接できる間隔とし、この態様によって、対向した両角度測定子６、７の回動測定面８、９が測定対象物の内角及び外角の測定面に確実に密接し、厚さの少ない測定対象物Ｂに対してもその内角及び外角を正確に測定することが可能となる。
【００３９】
又、前記ローター部６ａ、７ａの板面の一部が相互に重なるように当接又は近接させた形態では、一方の角度測定子６は、図８に示すように、板面を１枚とし、他方の角度測定子７は、図９に示すように、前記一方の角度測定子６を１枚の板面を挟んだ間隔で２枚の板面を設けることができる。
そして、図１０及び図１１に示すように、前記ローター部６ａ、７ａの擦違中板２０の板面とその両側の擦違外板２１ａ、２１ｂの一部が接近して前記回動測定面８、９の両側の端部８ａ、９ａ、８ｂ、９ｂ寄りの一部が相互に重なって、その部分において回動測定面８、９を交差させ、その回動測定面８、９の交差部分を測定対象物Ｂの両外角面に当てることで、小さな測定対象物Ｂの外角の測定が可能となる。
【００４０】
又、この形態での内角の測定では、前記ローター部６ａ、７ａの擦違中板２０の一部を相互に重なるようにして小さな測定対象物Ａの内角の測定が可能となり、この場合、両回動測定面８、９の端部８ａ、９ａ同士が接触状態となると、その端部８ａ、９ａを頂点として両内角面を最小範囲まで同時に密接させることができるので、極めて小さな測定対象物Ａの内角の測定が可能となる。
なお、両回動測定面８、９の端部８ａ、９ａ同士が離れた状態であっても、その離れた距離より小さい測定対象物Ａではその両内角面を両回動測定面８、９に同時に密接させることができないので、その場合には内角の測定ができなくなるが、回動測定面８、９が測定対象物Ａの両内角面に同時に密接可能な限り、どのような大きさの測定対象物Ａでもその内角の測定が可能となる。
なお、図示しないが、両方の角度測定子６のローター部６ａ、７ａを１枚とし、両角度測定子６、７の板面の一部が接近して相互に重なるように形成した態様や、両方のローター部６ａ、７ａのいずれも複数枚としたそれらローター部６ａ、７ａの板面の一部が接近して相互に重なるようにした態様も可能である。
【００４１】
又、測定には両角度測定子６、７に角度の測定基準となる位置を決めなければならないが、図７に示すように、両角度測定子６、７のローター部６ａ、７ａの板面には、両角度測定子６、７の回動測定面８、９の両端部寄り部位に夫々ピン突当り部１４ａ、１４ｂ、１５ａ、１５ｂを備えたピン逃がし面１４、１５を形成し、両回動支持体２、３の両角度測定子６、７の前記ピン逃がし面１４、１５に臨む部位には、前記角度測定子６、７の１８０度の回動位置で両側の前記ピン突当り部１４ａ、１４ｂ、１５ａ、１５ｂに当たって停止する測定基準位置決めピン１６、１７、１８、１９を前記両回動支持体２、３の二股の分岐部に設けた形態が可能であり、これによって両角度測定子６、７の測定基準位置を決めることが可能となる。
図７では、前記ピン逃がし面１４、１５は前記ローター部６ａ、７ａの板面の外周に添った円形の溝状に形成した態様を示しているが、夫々のピン突当り部１４ａ、１４ｂ、１５ａ、１５ｂまでの間において、両ローター部６ａ、７ａの板面に前記両回動支持体２、３に設けた測定基準位置決めピン１６、１７、１８、１９が当たらなければ良いので、図示しないが前記ローター部６ａ、７ａに扇状の窪みや、板面を貫通した孔に形成しても良い。
【００４２】
この態様では、ローター部６ａ、７ａのピン突当り部１４ａ、１４ｂ、１５ａ、１５ｂに前記両回動支持体２、３に設けた測定基準位置決めピン１６、１７、１８、１９が当たって、前記角度測定子６、７が停止するので、両側ピン突当り部１４ａ、１４ｂ、１５ａ、１５ｂを回動測定面８、９がお互いに平行に停止し、前記角度測定子６、７が正確に１８０度回動可能に停止位置を設定すれば測定精度高めることができる。
更に精度を高めてより正確な停止位置を決める場合には、測定基準位置決めピンに偏芯ピンを用いることができる。この場合、別の測定器で計測しつつ両側ピン突当り部１４ａ、１４ｂ、１５ａ、１５ｂに偏芯ピンの偏芯部分を押し当てつつ該偏芯ピンを回転させ、両側の回動測定面８、９が正確に平行となる位置まで移動させる。このことで製造時に生じたピン突当り部１４ａ、１４ｂ、１５ａ、１５ｂの誤差をより小さくなるものに修正することが可能となる。
【００４３】
又、図１２に示すように、前記基台１上で両回動支持体２、３間の間隔を拡縮可能とした態様が可能である。
この態様では、一直線のスライド平面２７を備えた定規の如き長板状基台１ａを用い、前記回動支持体２、３の少なくとも一方を該基台１ａのスライド平面２７に導かれて直立状態でスライド往復可能となるように装着する。
この形態では、前記回動支持体２、３の少なくとも一方に、前記基台１のスライド平面２７に対して回動支持体２、３が直立状態で往復可能とするスライド孔２８を形成し、スライド移動させた回動支持体２、３を任意の位置で固定する固定ネジ２９を設ける。
【００４４】
この形態では、測定対象物Ａの入隅に異物や変形が存在する内角面Ａ１、Ａ２であっても、間隔を広げることで異物や変形部分を跨いで測定すべき内角面Ａ１、Ａ２に回動測定面８、９を同時に当ててその角度ｘを測定することが可能となる。
また、測定対象物Ｂに異物や変形が存在する外角部分では、そこから離れた位置にある外角面Ｂ１、Ｂ２に対して回動測定面８、９を同時に当てることが可能となるので、その外角ｙを測定することが可能となる。
尚、図１２中の符号３４は、前記回動支持体２、３が基台１ａから抜け落ちるのを防止する抜止め板３４である。
【００４５】
又、図１３に示すように、前記回動支持体２、３を、両方又は一方を基台１から直立した方向に伸縮可能とする高さ調節部３０を設けた形態が可能である。
該図１３は、回動支持体２の一方に高さ調節部３０を設けた態様である。
前記回動支持体２の伸縮は、棒状の回動支持体２の上部の中棒部３１を下部の外筒部３２内にスライド可能に嵌合させ、中棒部３１を出没させることで前記回動支持体２が伸縮される。
そして、測定対象物の測定に適した位置にまで伸縮させたら外筒部３２の側面に設けた固定ネジ３３によってその位置で締め付けると中棒部３１がその位置で固定される。
【００４６】
この形態では、測定対象物Ａの鋭角な内角ｘの頂点から離れた深い位置に内角面Ａ１、Ａ２がある場合には、その深い位置で回動測定面８、９を同時に当てることができ、その内角ｘの測定が可能と成る。
又、先端が変形した測定対象物Ｂの鋭角部分（図示省略）では、そこから離れた位置にある外角面Ｂ１、Ｂ２に対して回動測定面８、９を同時に当てることができ、その外角ｙの測定が可能となる。
【００４７】
又、図１４に示すように、前記基台１に前記演算表示部２３を固着した形態が可能である。
この形態では、前記演算表示部２３を回動支持体２から分離させて基台１に固着した態様と、近い方の回動支持体２も基台１と一体に演算表示部２３に固着させた態様とが可能である。
【００４８】
図１４に示す形態では、演算表示部２３が前記角度測定子６、７側と一体となるので、測定対象の機械装置や部品に対して片手だけで角度が測定できるので使い易くなる。
なお、前記演算表示部２３と基台１とは着脱可能とすることも可能であり、その場合には測定対象物に応じて、両者を分離することで、コンパクトにした角度測定子６、７側の部分が狭い場所に差し込んで測定できるようになり便利である。
【００４９】
又、前記基台１に前記演算表示部２３を固着し、前記基台１と前記演算表示部２３とを一体化させると共に、一方の回動支持体２は前記基台１上を往復させて両角度測定子６、７間の間隔を拡縮可能とし、他方の回動支持体３は角度測定子７の高さを調節可能とした形態が可能である。
【００５０】
この形態では、例えば、図１５の（イ）、（ロ）に示すように、内部に前記演算表示部２３を備えた箱型の基台１の上面と側面には、それぞれスライド溝３５、３６を設ける。
又、前記上面のスライド溝３５内にスライド可能に嵌合可能なＬ型に屈曲させて形成した一方のスライド部２ｄと、前記側面のスライド溝３６内にスライド可能に嵌合可能なＩ型に長く形成した他方のスライド部３ｄを回動支持体２、３にそれぞれ形成し、該回動支持体２、３のスライド部２ｄ、３ｄを前記各スライド溝３５、３６に嵌合させる。
そして、前記スライド部２ｄ、３ｄにはスライド方向に長いスライド長孔３７、３８を形成し、該スライド長孔３７、３８を貫通させ、スライド溝３５、３６内に螺着可能な位置固定ネジ３９、４０を設け、スライド往復する範囲の任意の位置に該位置固定ネジ３９、４０で回動支持体２、３を固定可能とする。
【００５１】
この形態による角度の測定は、測定対象物Ａの内角や外角の形状に応じて前記基台１に対して両回動支持体２、３を適宜移動させ、測定に最適な位置の内角面や外角面に両回動測定面８、９を同時に押し当てて角度を測定する。
図１５の（イ）は一方の回動支持体２を基台１の上面にスライドさせて両回動測定面８、９間を開くと共に他方の回動支持体３を基台１の側面から上に高く突出させた状態を示し、（ロ）は両回動測定面８、９同士を密接させて測定基準の位置決めをしている状態を示している。
なお、該図１５では、前記演算表示部２３内の構造は省略した。
【００５２】
次に本発明の上記全角度測定器を用いた角度の測定の方法について説明する。
本発明では、内角ｘ及び外角ｙの角度は、測定対象物に対して基台１を傾けても、両回動測定面８、９の各傾斜角度の数値は変わるが、角度の測定は挟む二面の角度関係だけから導き出すものなので、内角ｘ及び外角ｙ自体の算出される角度は同じ数値となる。
このため、周囲に障害物があったり狭かったりして計測し難い部分の測定でも、測定対象物に対して角度測定器の位置や角度を柔軟に対応させて計測することが可能となる。
【００５３】
そして、測定に当たっては、内角も外角も両方の角度測定子６、７の回動測定面８、９の異なる傾斜角度から算出されるものであるので、先ず読み取る数値の基準となる状態を、両側の回動測定面８、９が同一直線上にある場合と平行線上にある場合を回動測定面８、９の基準とし、このときの数値を「０」度又は「１８０」度として前記演算表示部１１に記憶させる。
【００５４】
回動測定面８、９が同一直線上にある場合とは、図１５の（ロ）に示すように、一平面に対して両側の角度測定子６、７の回動測定面８、９が同時に密接状態に押し当てられている状態であり、平行線上にある場合とは、両側に平行面を有する板や立方体等の平行面に両側の角度測定子６、７の回動測定面８、９が同時に密接状態に押し当てられている状態である。
又、平行線上にある場合では、前記角度測定子６、７の１８０度の回動位置で両側の前記ピン突当り部１４ａ、１４ｂ、１５ａ、１５ｂに当たって停止する測定基準位置決めピン１６、１７、１８、１９を設けた形態では、測定基準位置決めピン１６、１７、１８、１９が前記ピン突当り部１４ａ、１４ｂ、１５ａ、１５ｂに突き当たって停止する状態である。
【００５５】
該測定基準位置決めピン１６、１７、１８、１９を備えた形態を除いて、前記磁気センサー１２ａ、１３ａに対する両側の角度測定子６、７の基準位置は一箇所には決まっておらず、測定する都度測定基準位置を変えても良いし、同じ位置を継続しても良い。
【００５６】
（測定例）
次に、内角及び外角の測定方法について、図を参照して具体的に数値を用いて説明する。
（Ａ）例えば、測定の準備として両方の回動測定面８、９を一平面に同時に押し当て測定基準「１８０度」を設定し、両方時計回り方向で測定した場合について説明する。
測定する角度は同じ時計回りとする方向では、一方はマイナスの数値となるが、いずれも絶対値として加算して算出する。
【００５７】
ａ）内角の測定について
測定対象物Ａの内角ｘの測定では，例えば、図５に示すように、測定対象物Ａの両内角面Ａ１、Ａ２に回動測定面８、９を同時に押し当てて、前記測定基準に対して、実測すると、一方の回動測定面８の傾斜角度が−３０．１８度で他方の回動測定面９の傾斜角度＋５７．８７度と読み取れる。
この場合は読み取った両方に数値を加えて、基準値の１８０から差し引いて算出し、１８０−（３０．１８＋５７.８７）＝９１.９５の演算により９１.９５度と測定され、その数値が液晶表示部にデジタル数字で表示される。
【００５８】
ｂ）外角の測定について
測定対象物Ｂの外角ｙの測定では、例えば、図６に示すように、測定対象物Ｂの両外角面Ｂ１、Ｂ２に回動測定面８、９を同時に押し当てて、前記測定基準に対して、実測すると、一方の回動測定面８の傾斜角度が＋６０．３８度で他方の回動測定面９の傾斜角度が−３９．８１度と読み取った場合、１８０−（６０．３８＋３９．８１）＝７９．８１の演算により７９．８１度と測定され、その数値が液晶表示部にデジタル数字で表示される。
【００５９】
尚、基準設定のため回動測定面８、９を同時に押し当てる一平面は、前記回動支持体２、３に対して垂直である場合や傾斜した場合があるが、その傾斜に応じて、両方の数値は変化しても、同じ内角及び外角の測定では、その算出された数値は別傾斜にして何度計測しても測定結果は同じとなる。
このため、測定対象物に対して、測定場所の環境に合わせて前記回動支持体２、３を傾斜させて測定することが可能となる。
【００６０】
（Ｂ）次に、測定の準備として両方の回動測定面８、９を回動支持体２の直立方向と平行に位置決めして測定基準「０度」を設定して測定した場合について説明する。
測定する角度は同じ時計回り方向での測定値は、一方ではマイナスとなるが、いずれも絶対値として加算して算出する。
この方法では、直方形の物体を挟んで、回動支持体２の直立方向と略平行に回動測定面８、９の位置決めをして、その位置を測定基準「０度」と設定して測定した形態と、両角度測定子の板面にピン突当り部を備えたピン逃がし面を設け、両回動支持体の両角度測定子に測定基準位置決めピンを設け、前記回動支持体２の直立方向と略平行に回動測定面８、９の位置決で測定基準「０度」と設定して測定した形態が可能である。
【００６１】
ａ）後者の場合は、前記角度測定子６、７の測定基準は、前記測定基準位置決めピンがピン突当り部に当たった位置とするので、測定基準の設定はせずに測定できる。
即ち、回動測定面８、９を向かい合わせ、又は背中合わせにした位置を測定基準「０度」と設定し、例えば、外角の測定では、回動測定面８、９を向かい合わせ位置を測定基準「０度」と設定し、内角の測定では、回動測定面８、９を背中合わせ位置で測定基準「０度」と設定することができる。
そして、一方を時計回り方向をプラスの数値とし、他方を反時計回り方向をプラスの数値に設定して測定すると、その数値の加算で測定値が算出できる。
【００６２】
ｂ）いずれの場合でも、例えば、図５に示すように、測定対象物Ａの両内角面Ａ１、Ａ２に回動測定面８、９を同時に押し当てて、一方の回動測定面８の傾斜角度が５９．８２度で他方の回動測定面９の傾斜角度が３２.１３度と読み取った場合、５９．８２＋３２．１３＝９１．９５の演算により９１．９５度と測定され液晶表示部にデジタル数字で表示される。
測定対象物Ｂの外角の測定では、例えば、図６に示すように、回動測定面８、９を両外角面Ｂ１、Ｂ２に同時に押し当てて、一方の回動測定面８の傾斜角度が２９．６２度で他方の回動測定面９の傾斜角度が５０．１９度と読み取った場合、２９．６２＋５０．１９＝７９．８１の演算により７９．８１度と測定され液晶表示部にデジタル数字で表示される。
【００６３】
以上で本発明の磁気センサーを用いた形態を説明したので、次に光センサーを用いた形態を説明する。
この形態は、上記磁気センサーを用いた形態とは光センサーを用いた点で異なっているが、その他の態様や、使用方法は磁気センサーを用いた形態と同じであるのでその説明は省略し、発明の構成及び光センサー部分について以下で詳しく説明する。
【００６４】
この形態は、図１６に示すように、基台１上に平行に突設した一対の回動支持体２、３の各先端寄り部位に、磁気センサーを用いた形態と同様に、該先端部を二股とした支持部２ａ、３ａを形成する。
そして、該支持部２ａ、３ａに、図１８の（イ）及び（ロ）に示すように、内部に設けたベアリング軸受４４を介して両枢支軸４ａ、５ａが対向して平行となるように計測ケース５０、５０を固着し、該計測ケース５０、５０の内部には角度計測用空間を備える。
該角度計測用空間内に枢支軸４ａ、５ａの一方端部を突出させると共に該枢支軸４ａ、５ａの回動変化量を光の変化量を感知する光センサー４９を備えた角度検出部４１を設ける。
図１８中の符号４３はベアリング軸受４４のボール４３である。
【００６５】
そして、前記枢支軸４ａ、５ａの他方端部を前記ベアリング軸受４４から突出させて、その突出した部分に、該枢支軸４ａ、５ａに対する垂直な線と平行な回動測定面８、９と、該回動測定面８、９を支持する優弧半円板状のローター部６ａ、７ａとを備えた角度測定子６、７を夫々固着する。
その際、両回動測定面８、９を、図１６に示すように、前記各回動支持体２、３を避けてその先端部及び両側面部よりも外側の全周に亘って回動可能に形成する。
【００６６】
又、測定する際には両角度測定子６、７の測定基準となる位置を設定するが、図１７に示すように、両角度測定子６、７のローター部６ａ、７ａの板面に、両角度測定子６、７の回動測定面８、９の両端部寄り部位には夫々ピン突当り部１４ａ、１４ｂ、１５ａ、１５ｂを備えたピン逃がし面１４、１５を形成し、両回動支持体２、３の両角度測定子６、７の前記ピン逃がし面１４、１５に臨む部位には、前記角度測定子６、７の１８０度の回動位置で両側の前記ピン突当り部１４ａ、１４ｂ、１５ａ、１５ｂに当たって停止する測定基準位置決めピン１６、１７、１８、１９を前記両回動支持体２、３の二股の分岐部に設けた形態が可能であり、これによって両角度測定子６、７の測定基準位置を決めることが可能となる。
この測定基準位置の決め方は、上記磁気センサーを用いた形態と同様である。
なお、図１７におけるＸ−Ｘ線縦断側面図を示す図１８の（イ）に示すよう、前記角度検出部４１の枢支軸４ａ、５ａは、回動支持体２、３の各先端寄り部位の二股とした先端部の二股のうち角度検出部４１の設けない対向側には枢支しない態様も可能である。
【００６７】
そして、前記両角度センサー４９に接続させて、両光センサー４９で感知した各傾斜角度のデータからプログラムに従って演算処理する電子演算部２４とその演算結果をデジタル表示する液晶表示部２５とを備えた演算表示部２３を設ける。
【００６８】
なお、上記磁気センサーと用いた形態では、ローター部６ａ、７ａに磁気目盛面１０、１１を有するのでローター部６ａ、７ａの形状を優弧半円板状としたが、上記光センサーを用いた形態では前記ローター部６ａ、７ａに磁気目盛帯１０ａ、１１ａ等の目盛りを設けないのでローター部６ａ、７ａの形状は優弧半円板状と特定する必要はない。
前記ローター部６ａ、７ａは前記光センサー４９を備えた角度検出部４１を枢支軸４ａ、５ａ部分に組み込んで回動測定面８、９を一定の位置に回動可能に支持するものであり、回動測定面８、９を棒状とした場合には、ローター部６ａ、７ａの形状は優弧半円板状とすることもできるが円板状、矩形等各種形状に形成することが可能である。
【００６９】
次に、前記角度検出部４１をその一例を示す図１８の模式図で説明する。
該角度検出部４１は、図１８の（ロ）に示すように、前記計測ケース５０内の前記枢支軸４ａ、５ａの角度計測空間への突出した部分には、回転偏光板４５を固設する。
そして、前記回転偏光板４５に対して平行に固定偏光板４６を前記計測ケース５０の内壁に固設する。
又、前記計測ケース５０内の固定偏光板４６側の空間に臨む部位に該固定偏光板４６に向けて光を照射する発光体４８を設ける。
そして、該発光体４８の照射で前記回転偏光板４５と固定偏光板４６とを通過した光を受ける位置に光の量を感知する光センサー４９を設ける。
【００７０】
前記発光体４８にはＬＥＤランプが使用でき、そのＬＥＤランプの電源はデータ受信回路と共に帯状に形成された回路接続用ハーネス４２によって電子演算部２４に接続される。
そして、該発光体４８から前記固定偏光板４６に向けて光を照射（図中矢印で示す）すると、その光は該固定光板４６通過して回転偏光板４５へ向かい、該回転偏光板４５を通過し、その先に設けた反射鏡４７で反射され、光センサー４９に届き、その光量が感知される。
その際に回転偏光板４５が回転すると前記回転偏光板４５と固定偏光板４６の相対的な偏光方向が変化して光の透過量が変化するが、この光の変化量を光センサー４９で感知し、そのデータを角度に換算して前記回転偏光板４５に固定された角度測定子６、７の両回動測定面８、９の傾斜角度を電子演算部２４で演算処理し、演算結果を液晶表示部２５にデジタル表示する。
なお、前記角度検出部４１は、前記発光体４８から反射鏡４７を用いずに前記固定偏光板４６と回転偏光板４５を通過した光が直接届く位置に光センサー４９に配設した態様や、複数の固定偏光板と、それに対応した複数の光センサー４９を用いた態様も可能であり、その構造は上記態様に限定されるものではない。
又、本発明の光センサー４９による形態における内角及び外角の測定方法は、上記磁気センサーによる形態と同様である。
【００７１】
以上前記角度検出部４１を、発光体４８から照射する光を回転偏光板４５と固定偏光板４６を通過させてその光の変化量を光センサー４９で感知する形態で説明したが、本発明では回転偏光板４５や固定偏光板４６等の偏光板は使用しない態様も可能である。
例えば、計測ケース５０の角度計測空間内に枢支軸４ａ、５ａを中心に複数等分度間隔とした放射状のスリットを有する２枚の目盛り円板を両側のスリットが重ね合わされるように配し、該目盛り円板の一方は枢支軸４ａ、５ａの突出した部分に固着し、他方は計測ケース５０に固着する。
そして、一方の目盛り円板側の角度計測空間内に発光体を設け、他方の目盛り円板側にスリットを通過した光の量を感知する光センサーを設けた態様が可能である。
この態様では、測定する際に測定対象物に回動測定面８、９が当接するまで角度測定子６、７が回動すると前記枢支軸４ａ、５ａの回動で一方の目盛り円板が他方の目盛り円板に対して相対的に回転して目盛り円板同士のスリットの開閉が起こり、発光体から目盛り円板に向けて照射した光がスリットを通過して光センサーで感知されるが、その際に発光体から目盛り円板に向けて照射した光のスリットからの通過量が増減し、その光の量の変化が光センサーで感知され、その感知されたデータから角度の計測が可能となる。
【産業上の利用可能性】
【００７２】
本発明の全角度測定器は、精密部品等の測定対象物の両内角及び両外角に対して夫々回動測定面を同時に当てて測定するものであるが、分度器の如く設計図面上での各部の角度の測定もでき、又建築や土木の分野等、内角と外角の角度の測定に広く使用することが可能である。
【符号の説明】
【００７３】
１  基台
１ａ  長板状基台
２、３  回動支持体
２ａ、３ａ  支持部
２ｂ、３ｂ  磁気センサー取付け部
２ｃ、３ｃ  回動支持体の下端部
２ｄ、３ｄ  スライド部
４、５  枢支部
４ａ、５ａ  枢支軸
６、７  角度測定子
６ａ、７ａ  ローター部
８、９  回動測定面
８ａ、９ａ  回動測定面の端部
８ｂ、９ｂ  回動測定面の端部
１０、１１  磁気目盛面
１０ａ、１１ａ  磁気目盛帯
１２ａ、１２ａ  磁気センサー
１２、１３  角度検出部
１４  ピン逃がし面
１４ａ、１４ｂ  ピン突当り部
１５  ピン逃がし面
１５ａ、１５ｂ  ピン突当り部
１６、１７、１８、１９  測定基準位置決めピン
２０  擦違中板
２１ａ  擦違外板
２１ｂ  擦違外板
２２  電線
２３  演算表示部
２４  電子演算部
２５  液晶表示部
２６  演算表示部と回動支持体の固着部
２７  スライド平面
２８  スライド孔
２９  固定ネジ
３０  高さ調節部
３１  中棒部
３２  外筒部
３３  固定ネジ
３４  抜止め板
３５  スライド溝
３６  スライド溝
３７  スライド長孔
３８  スライド長孔
３９  位置固定ネジ
４０  位置固定ネジ
４１  角度検出部
４２  回路接続用ハーネス
４３  ボール
４４  ボールベアリング軸受
４５  回転偏光板
４６  固定偏光板
４７  反射鏡
４８  発光体
４９  光センサー
５０  計測ケース
Ａ  測定対象物
Ａ１  内角面
Ａ２  内角面
Ｂ  測定対象物
Ｂ１  外角面
Ｂ２  外角面
ｘ  測定対象物の内角
ｙ  測定対象物の外角
【図１】
0006765710.tif 000002
【図２】
0006765710.tif 000003
【図３】
0006765710.tif 000004
【図４】
0006765710.tif 000005
【図５】
0006765710.tif 000006
【図６】
0006765710.tif 000007
【図７】
0006765710.tif 000008
【図８】
0006765710.tif 000009
【図９】
0006765710.tif 000010
【図１０】
0006765710.tif 000011
【図１１】
0006765710.tif 000012
【図１２】
0006765710.tif 000013
【図１３】
0006765710.tif 000014
【図１４】
0006765710.tif 000015
【図１５】
0006765710.tif 000016
【図１６】
0006765710.tif 000017
【図１７】
0006765710.tif 000018
【図１８】
0006765710.tif 000019